(57)【要約】【課題】  簡単な構成で校内の安全を確保できる校舎セキュリティシステムを提供する【解決手段】  校舎セキュリティシステムは、学校への出入口となる門に設けられた監視設備と校内の所定の位置に設けられた集中監視設備６５とからなる。監視設備は監視カメラ付きのインターフォン１０と門を施解錠可能な電気錠２０とを含み、集中監視設備６５は、監視カメラの撮影した画像を表示するディスプレイ３１と、インターフォン装置１０と交信可能なスピーカおよびマイクロフォン３２と、カメラ１１の撮影した画像を蓄積する蓄積サーバ６０と、電気錠２０を遠隔で施解錠する遠隔開閉スイッチ３５と含む。蓄積サーバ６０の情報は、インターネット５５を介して外部のパソコン７０から閲覧が可能である。【選択図】      図５
2005215995.tif 000002
【特許請求の範囲】
【請求項１】
学校への出入口となる門に設けられた監視設備と校内の所定の位置に設けられた集中監視設備とをＬＡＮ（ローカルエリアネットワーク）で接続した校舎セキュリティシステムであって、
前記監視設備は監視カメラ付きのインターフォンと門を施解錠可能な電気錠とを含み、
前記集中監視設備は、
前記監視カメラの撮影した画像を表示するディスプレイと、
前記インターフォンと交信可能な送受信機と、
前記電気錠を遠隔で施解錠する遠隔開閉スイッチと含む、
校舎セキュリティシステム。
【請求項２】
前記監視設備は、前記門以外の構内の複数の位置に設けられた監視カメラをさらに含む、請求項１に記載の校舎セキュリティシステム。
【請求項３】
前記集中監視設備は、監視カメラおよびカメラ付きインターフォンの撮影した画像を蓄積する蓄積サーバを含む、請求項１に記載の校舎セキュリティシステム。
【請求項４】
前記集中監視設備はインターネットを介して外部に接続され、外部機器は前記インターネットを介して前記集中監視設備にアクセス可能である、請求項１から２のいずれかに記載の校舎セキュリティシステム。
【請求項５】
前記監視設備はセンサを含み、前記センサが不審者を検出したときは、前記ディスプレイにその旨が表示される、請求項１から４のいずれかに記載の校舎セキュリティシステム。
【発明の詳細な説明】
【技術分野】
【０００１】
この発明は、校舎セキュリティシステムに関し、特に、ネットワーク、映像、コンピュータ技術を統合したデジタル技術による校舎セキュリティシステムに関する。
【背景技術】
【０００２】
従来の学校における校内セキュリティシステムの一例として、緊急連絡システムがたとえば特開２００３−３４６２５７号公報（特許文献１)に開示されている。特許文献１によれば、校内の予め定められた複数の位置にＰＨＳの基地局となるアンテナを設け、職員がＰＨＳの端末を保持して、校内で事故や事件が発生すると、システム制御装置を介して全職員に緊急事態が通報される。
【特許文献１】特開２００３−３４６２５７号公報（図１、段落番号００１４等）
【発明の開示】
【発明が解決しようとする課題】
【０００３】
従来の校内セキュリティシステムは上記のように構成されており、主として、事件が発生した後での対処を行うシステムとなっている。一方、校内セキュリティシステムとしては、入場者を撮影してその画像を使用した監視システムを設けることも考えられるが、従来のアナログ回線によりこのようなシステムを構成すると、学校のような広い場所に設置する場合、画像映像信号の引き廻し回線が長くなるため、同軸ケーブルのような高価なケーブルを設置する必要がある。また、施錠システムのような制御は、同軸ケーブルとは別系統にするか、同軸ケーブルに載せる場合は信号を変復調する必要があり、装置的にも高価になると言う問題があった。また、蓄積には、タイムラプスＶＴＲのような高価な設備を必要とすると同時に、テープの交換作業も発生し、さらに遠隔地で蓄積データを自由に監視することは不可能に近い状態にあった。
【０００４】
この発明は上記のような問題点を解消するためになされたもので、簡単な構成で校内の安全を確保できる校舎セキュリティシステムを提供することを目的とする。
【課題を解決するための手段】
【０００５】
この発明にかかる校舎セキュリティシステムは、学校への出入口となる門に設けられた監視設備と校内の所定の位置に設けられた集中監視設備と両者を接続するＬＡＮ（ローカルエリアネットワーク）とからなる。監視設備は監視カメラ付きのインターフォンと門を施解錠可能な電気錠とを含み、集中監視設備は、監視カメラの撮影した画像を表示するディスプレイと、インターフォン装置と交信可能な送受信機と、監視カメラの撮影した画像を蓄積する蓄積サーバと、電気錠を遠隔で施解錠する遠隔開閉スイッチと含む。
【０００６】
好ましくは、監視設備は、門以外の校内の複数の位置に設けられた監視カメラを含む。
【０００７】
さらに好ましくは、集中監視設備はインターネットを介して外部に接続され、外部機器はインターネットを介して集中監視設備にアクセス可能である。
【０００８】
さらに好ましくは、監視設備はセンサを含み、センサが不審者を検出したときは、ディスプレイにその旨が表示される。
【発明の効果】
【０００９】
この発明によれば、門には監視カメラ付きのインターフォンと門を施解錠可能な電気錠とからなる監視設備が設けられ、監視設備をモニタする集中監視設備は、監視カメラの撮影した画像を表示するディスプレイと、インターフォンと交信可能な送受信機と、監視カメラの撮影した画像を蓄積する蓄積サーバと、電気錠を遠隔で施解錠する遠隔開閉スイッチと含み、両者間をＬＡＮケーブルで接続するため、簡単な構成で門の近辺を集中して監視することができる。その結果、簡単な構成で校内の安全を確保できる校舎セキュリティシステムを提供できる。
【００１０】
好ましくは、インターネットを介して外部から集中監視設備を閲覧できる。したがって、教育委員会や警備会社（たとえば夜間契約の会社）などの遠隔地においても校内を容易に監視できるシステムを提供できる。
【発明を実施するための最良の形態】
【００１１】
以下、この発明の実施の形態を図面を参照して説明する。図１は、この発明の一実施の形態が適用される学校全体を示す斜視図である。図１を参照して、学校には校舎や、体育館やプール等の設備が設けられ、周囲には、たとえば、門１０１、門１０２および門１０３のような複数の出入口が設けられている。
【００１２】
図２は図１に示した門１０１を示す正面図である。図２を参照して、門１０１は、中央部で分割され、相互に観音開きが可能な２枚の扉部１１２、１１３と、扉部１１３に設けられ両方の扉部を結合して閉じるための電気錠２０と、門１０１の一方側のポストに設けられたカメラ付きインターフォン１０とを含む。門１０１、１０２および１０３は基本的に同じ構成を有しており、登下校時を除いて、通常は基本的に閉じられている。来訪者は、カメラ付きインターフォン１０を介して門の施解錠を管理人に依頼して校内に入場するものとする。ここで、門１０１等に設けられたカメラ付きインターフォン１０や電気錠２０を監視設備という。
【００１３】
次にカメラ付きインターフォンについて説明する。図３はカメラ付きインターフォン１０の構成を示すブロック図である。図３を参照して、カメラ付きインターフォン１０は、来訪者を撮影するためのカメラ１１と、来訪者が管理人と交信するためのインターフォン設備１２と、カメラ１１およびインターフォン設備１２とを制御する制御部１３と、制御部１３からの信号を後に説明する監視室等に設けられた集中監視パネル３０（図５参照）へ送信するための入出力インターフェイス１４とを含む。インターフォン設備１２は来訪者を撮影するためのカメラ１２１と、来訪者が押すためのボタン１２２と校内校内の管理者と会話をするためのマイクおよびスピーカ１２３とを含む(図２参照）。入出力インターフェイス１４と集中監視パネル３０とはＬＡＮケーブル４１または無線ＬＡＮで接続されている。
【００１４】
次に電気錠２０について説明する。図４は電気錠２０の構成を示すブロック図である。図４を参照して、電気錠２０は、電磁石の吸着を利用したロックシステムであり、学校外側に設けられた外部スイッチ２１と、学校内側に設けられた内部スイッチ２２と、センサ２３と、外部スイッチ２１、内部スイッチ２２およびセンサ２３を制御するための制御部２４と、制御部２４からの信号を後に説明する監視室等に設けられた集中監視パネルへ送信するための入出力インターフェイス２５とを含む。入出力インターフェイス２５と集中監視パネル３０とはＬＡＮケーブル４１または無線ＬＡＮで接続されている。
【００１５】
外部スイッチ２１は、学校への来訪者が電気錠２０を開けるために必要なＩＤカード、カードキー等でも良いし、キー部をテンキーで構成し、所定の番号を押すことによって施解錠するものであってもよい。また、指紋照合型であってもよい。
【００１６】
内部スイッチ２２は、学校内部から外部へ出るためのものであり、扉部１１２，１１３の腰部に設けられ下方向に回転可能な棒状部材を押下げることによって解錠される形式であってもよい。
【００１７】
センサ２３は、門１０１の近辺に来訪者が接近したときにその存在を検出する非接触型のセンサである。このセンサ２３はカメラ付きインターフォン１０と連動して動作され、センサ２３で誰かが校門に近接したことを検知すると、インターフォン１０から問い合せを行うようにしてもよい。
【００１８】
なお、このセンサ２３は、振動検出型でもよい。また、センサ２３で不審者を検出したときは、別途設けられた遠隔監視カメラ１２４（図２参照）をＯＮして門の周囲を監視するようにしてもよい。また、この電気錠２０のコントロール部の全部または一部の機能をカメラ付きインターフォン１０（図３）に持たせた多機能カメラ付きインターフォンに代用させてもよい。
【００１９】
次にこの発明の一実施の形態にかかる校舎セキュリティシステムの全体構成について説明する。図５は校舎セキュリティシステムの全体構成を示すブロック図である。図５を参照して、校舎セキュリティシステムは、監視設備である、カメラ付きインターフォン１０や電気錠２０からの信号を集合するためのＬＡＮケーブル４１または無線ＬＡＮに接続されたハブ４０を含む。ハブ４０には、集中監視パネル３０と、カメラ付きインターフォン１０や電気錠２０からの情報を蓄積する蓄積サーバ６０と、複数のパソコン５０（図中では１台）が接続されている。なお、これらの機器（点線によって囲まれているもの）は、学校の職員室や所定の監視室に設けられ、集中監視設備６５という。
【００２０】
集中監視パネル３０は、カメラ付きインターフォン１０から送信された画像を表示するためのディスプレイ３１と、インターフォン１０と交信するためのスピーカおよびマイクロフォン３２と、画像を表示するカメラを選択するためのカメラ選択スイッチ３３と、各インターフォン１０を選択するためのインターフォン選択スイッチ３４と、インターフォン１０を経由した来訪者との会話の結果、門１０１〜１０３を遠隔で解錠するための遠隔開閉スイッチ(Ｇ１〜Ｇ３）３５と、各門を来訪者からのインターフォン１０を経由したアクセスまたは、センサ２３によって来訪者が検知されたことを知らせる回転灯３６とを含む。なお、このとき、ディスプレイ３１にその旨を表示してもよい。ここで、Ａ、ＢおよびＣは各門１０１、１０２および１０３に設けられたカメラ付きインターフォン１０の各カメラを示し、ＤからＦはそれ以外に、学校の所定の要部（たとえば、門の近傍や、外部から人が進入しそうな塀部）に設けられたカメラを選択するためのものである。
【００２１】
ハブ４０はＬＡＮを介して外部のネットワークであるインターネット５５に接続され、それを経て、外部のパソコン７０に接続されている。外部のパソコン７０はたとえば、教育委員会に設けられ、外部にある教育委員会の事務局から、担当の委員が蓄積サーバ６０に蓄積されたカメラの撮影した画像を閲覧可能である。
【００２２】
次に動作について説明する。登下校時を除いて、校門１０１，１０２および１０３は閉じている。この状態で、来訪者が来たときは、校門１０１等に設けられたカメラ付きインターフォン１０を介して学校の管理者と来訪の旨等を会話し、管理者の了解の上で、管理者によって扉部の電気錠２０のロックが外され、校内へ入ることができる。
【００２３】
一方、正当な来訪理由がない場合は、門の電気錠２０のロックは外されることなく保持され、不審者は入場できない。不審者がこれを無視して、強制的に門１０１等や塀を乗り越えて校内に入ろうとすると、それがセンサ２３や校内の適宜の位置に設けられた監視カメラで撮影されて記録される。また、インターフォン１０を経由した連絡が無いのにセンサ２３が反応したり、普段人が写るはずのないところ（たとえば塀の上等）を撮影するカメラが人を検出したとき等は、回転灯３６を回転するとか、警報をならすようにしてもよい。
【００２４】
なお、カメラの撮影する画像は動画が好ましいが、静止画であってもよい。
【００２５】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００２６】
【図１】学校の全体を示す斜視図である。
【図２】門の正面図である。
【図３】カメラ付きインターフォンのブロック図である。
【図４】センサ付き電気錠のブロック図である。
【図５】校舎セキュリティシステムの全体ブロック図である。
【符号の説明】
【００２７】
１０  カメラ付きインターフォン、１１  カメラ、１２  インターフォン、１３、２４  制御部、１４、２５  入出力インターフェイス、２０  電気錠、２１  外部スイッチ、２２  内部スイッチ、２３  センサ、３０  集中監視パネル、３１  ディスプレイ、３５  遠隔開閉スイッチ、４０  ハブ、４１  ＬＡＮケーブル、５０、７０  パソコン、５５  インターネット、６０  蓄積サーバ。
【図１】
2005215995.tif 000003
【図２】
2005215995.tif 000004
【図３】
2005215995.tif 000005
【図４】
2005215995.tif 000006
【図５】
2005215995.tif 000007